(57)【要約】【課題】負荷に余計なストレスをかけることなく、負荷を保護することができる。【解決手段】制御回路９からの運転指令を操作コイル１０が受けると、電磁開閉器２内の開閉部１１がＯＮし、負荷８を運転し、接続導体４を介した端子に電流が流れ、その電流を電流検出手段７が検出し、制御回路９に電流値（直流電圧等）を出力することができるため、負荷８の運転状態を把握することができ、負荷８が異常状態となる前に検知することができるので、負荷に余計なストレスをかけることなく、負荷を保護することができる。【選択図】図１
2006294540.tif 000002
【特許請求の範囲】
【請求項１】
負荷を動作させる電磁開閉器と、負荷に電源を供給する入力端子と、負荷が異常状態になったときに溶断するヒューズと、前記入力端子から入力した電源の一相に設置され、負荷の電流を検出する電流検出手段と、前記入力端子と、前記ヒューズと、前記電流検出手段とで構成された負荷保護ユニットとを備え、前記負荷保護ユニットと電磁開閉器とを導体を用いて接続したことを特徴とする電磁接触器。
【請求項２】
電源の入力端子の内の二相に電流検出手段を接続したことを特徴とする、請求項１に記載の電磁接触器。
【請求項３】
入力端子に、相の誤配線を検出する逆相検出手段を接続したことを特徴とする、請求項１〜２のいずれかに記載の電磁接触器。
【請求項４】
入力端子にアース端子を備えたことを特徴とする、請求項１〜３のいずれかに記載の電磁接触器。
【請求項５】
負荷の異常電流値を設定する異常電流値設定手段を備えたことを特徴とする、請求項１〜４のいずれかに記載の電磁接触器。
【請求項６】
負荷の電流状態を表示する電流表示手段を備えたことを特徴とする、請求項１〜５のいずれかに記載の電磁接触器。
【請求項７】
入力端子に電源供給端子を備えたことを特徴とする、請求項１〜６のいずれかに記載の電磁接触器。
【発明の詳細な説明】
【技術分野】
【０００１】
本発明は、電磁開閉器と、負荷の保護を行うことができるユニットとを接続導体を介して組み合わせた電磁接触器に関するものである。
【背景技術】
【０００２】
従来、この種の電磁接触器としては、例えば図８、図９、図１０に記載されているようなものがあった。
【０００３】
図８は従来の電磁接触器の正面図、図９はその回路図、また図１０は従来の異常加熱防止機構の回路図を示すものである。
【０００４】
図９において、電磁開閉器の開閉部１０１ａが溶着、すなわち三極のうち二極が溶着すると、三相電動機１２０は欠相状態で運転を継続することとなり、その負荷電流は定格電流の２〜３倍となる。
【０００５】
これによりヒーター１０２ａが異常加熱され、図１０に示すＰＣＴサーミスタ２４０の抵抗値が変化し、出力リレー部２３０が作動して図９に示す配線用遮断器１１０を遮断させる手段がとられており、このように電動機の過負荷および拘束保護は電磁開閉器で行い回路の短絡保護は配線用遮断器で行うように保護協調がなされていた（例えば、特許文献１参照）。
【特許文献１】特開平０５−０４７２８８号公報
【発明の開示】
【発明が解決しようとする課題】
【０００６】
しかしながら、前記従来の構成では、負荷電流が定格の２〜３倍となり、ヒーターが異常加熱されてから配線用遮断器を遮断させていたので、負荷にストレスがかかるという課題を有していた。
【０００７】
本発明は、前記従来の課題を解決するもので、負荷の異常状態を事前に検知し、負荷に余分なストレスをかけることなく、負荷を保護することができる電磁接触器を提供することを目的とする。
【課題を解決するための手段】
【０００８】
前記従来の課題を解決するために、本発明の電磁接触器は、入力した電源の一相に、負荷の電流を検出する電流検出手段を設けたことにより、負荷に余計なストレスをかけることなく、負荷を保護することができる。
【発明の効果】
【０００９】
本発明の電磁接触器は、負荷の運転状態や異常状態を事前に検知することができ、負荷に余計なストレスをかけることなく、負荷の寿命を延ばすことができる。
【発明を実施するための最良の形態】
【００１０】
第１の発明は、負荷を動作させる電磁開閉器と、負荷に電源を供給する入力端子と、負荷が動作し、異常状態になったときに溶断するヒューズと、前記入力端子から入力した電源の一相に設置され、負荷の電流を検出する電流検出手段と、前記入力端子と、前記ヒューズと、前記電流検出手段とで構成された負荷保護ユニットとを備え、入力した電源の一相に、負荷の電流を検出する前記電流検出手段を設けたことにより、負荷に余計なストレ
スをかけることなく、負荷を保護することができる。
【００１１】
第２の発明は、特に第１の発明の負荷保護ユニットにおいて、電源を入力した二相に負荷の電流を検出する電流検出手段を備えたことにより、負荷の運転電流をより精度良く検出することができる。
【００１２】
第３の発明は、特に、第１の発明の負荷保護ユニットにおいて、入力した電源の相を誤配線したときに検出する、逆相検出手段を備えたことにより、電源の誤配線を防止することができる。
【００１３】
第４の発明は、特に、第１の発明の負荷保護ユニットの入力端子において、前記入力端子の近傍にアース端子を備えたことにより、設置工事時のアース工事もすることができる。
【００１４】
第５の発明は、特に、第１の発明の負荷保護ユニットにおいて、負荷の異常電流値を設定することができる異常電流値設定手段を備えたことにより、負荷に応じた異常電流値を設定することができる。
【００１５】
第６の発明は、第１の発明の負荷保護ユニットにおいて、負荷の電流状態を表示する電流表示手段を備えたことにより、負荷の運転状態を知ることができる。
【００１６】
第７の発明は、第１の発明の負荷保護ユニットの入力端子において、各相に電源を供給する端子を備えたことにより、負荷以外の制御回路等に電源を供給することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における電磁接触器１の回路図を示すものである。
【００１９】
図１において、電磁接触器１は、電磁開閉器２と負荷保護ユニット３を接続導体４により接続されている。負荷保護ユニット３は入力端子５、ヒューズ６、電流検出手段７から構成されている。
【００２０】
入力端子５は負荷８を動作させるための電源を入力する端子である。ヒューズ６は電源を遮断する最終保護手段であり、負荷８が異常運転状態になった場合、制御回路９が暴走または破壊したときに電源を遮断する。電流検出手段７は、ヒューズ６を介して電源の一相に設けており、制御回路９に負荷８の電流値（直流電圧等）を出力する。操作コイル１０は制御回路９からの操作出力を受けて、電磁開閉器２の開閉部１１の開閉動作を行う。また、制御回路９は負荷保護ユニット３内に内蔵しても良い。
【００２１】
以上のように構成された電磁接触器１は、制御回路９からの運転指令を操作コイル１０が受けると、電磁開閉器２内の開閉部１１がＯＮし、負荷８を運転し、接続導体４を介した端子に電流が流れ、その電流を電流検出手段７が検出し、制御回路９に電流値（直流電圧等）を出力することができるため、負荷８の運転状態を把握することができ、負荷８が異常状態となる前に検知することができるので、負荷に余計なストレスをかけることなく、負荷を保護することができる。
【００２２】
（実施の形態２）
図２は、本発明の第２の実施の形態における電磁接触器１の回路図を示すものである。
【００２３】
図２において、実施の形態１で説明した部分については同じ符号を用い説明を省略する。
【００２４】
電流検出手段７ａは、ヒューズ６を介して電源の二相に設けており、制御回路９に二相分の負荷８の電流値（直流電圧等）を出力する。
【００２５】
以上のように構成された電磁接触器１は、制御回路９からの運転指令を操作コイル１０が受けると、電磁開閉器２内の開閉部１１がＯＮし、負荷８を運転し、接続導体４を介した端子に電流が流れ、その電流を電流検出手段７と７ａの二相分検出され、制御回路９に二相分の電流値（直流電圧等）を出力することができるため、負荷８の運転電流をより精度良く検出することができる。
【００２６】
（実施の形態３）
図３は、本発明の第３の実施の形態における電磁接触器１の回路図を示すものである。
【００２７】
図３において、実施の形態１で説明した部分については同じ符号を用い説明を省略する。
【００２８】
逆相検出手段１２は、入力端子５に電源相を誤配線したときに検出され、誤配線の出力を行う。
【００２９】
また誤配線の出力を利用して、表示させても良い。
【００３０】
以上のように構成された電磁接触器１は、電源工事のときに入力端子５に、入力した電源の相を誤配線したときに検出できるため、電源工事時の誤配線を防止することができる。
【００３１】
（実施の形態４）
図４は、本発明の第４の実施の形態における電磁接触器１の回路図を示すものである。
【００３２】
図４において、実施の形態１で説明した部分については同じ符号を用い説明を省略する。
【００３３】
アース端子１３は、入力端子５の近傍に備えて、端子１３ｂをアースに落とすことにより、端子１３ａをアース端子として利用することができる。
【００３４】
以上のように構成された電磁接触器１は、入力端子５の近傍にアース端子１３を備えたことにより、電源工事時にアース工事も行うことができる。
【００３５】
（実施の形態５）
図５は、本発明の第５の実施の形態における電磁接触器１の回路図を示すものである。
【００３６】
図５において、実施の形態１で説明した部分については同じ符号を用い説明を省略する。
【００３７】
異常電流値設定手段１４は、負荷８が運転したときに、負荷８の運転電流を電流検出手段７により検出され出力し、その電流値が異常状態なのか設定することができる。
【００３８】
以上のように構成された電磁接触器１は、接続される負荷に応じて異常電流値を設定す
ることができる。
【００３９】
（実施の形態６）
図６は、本発明の第６の実施の形態における電磁接触器１の回路図を示すものである。
【００４０】
図６において、実施の形態１で説明した部分については同じ符号を用い説明を省略する。
【００４１】
電流表示手段１５は、負荷８の運転電流を、電流検出手段７により検出され出力された電圧により表示することができる。
【００４２】
以上のように構成された電磁接触器１は、負荷８の電流状態を表示することができるので、負荷の運転電流を把握することができる。
【００４３】
（実施の形態７）
図７は、本発明の第７の実施の形態における電磁接触器１の回路図を示すものである。
【００４４】
図７において、実施の形態１で説明した部分については同じ符号を用い説明を省略する。
【００４５】
電源供給端子１６は、入力端子５に入力した電源の各相に端子を設けて、電源を供給することができる。
【００４６】
以上のように構成された電磁接触器１は、負荷８以外の制御回路９等の電源必要な負荷にも電源を供給することができる。
【産業上の利用可能性】
【００４７】
以上のように、本発明にかかる電磁接触器は、電磁開閉器と負荷保護ユニットを組合わせた電磁開閉器であり、負荷を保護することもできるので、負荷保護用の恐れのあるものにも適用できる。
【図面の簡単な説明】
【００４８】
【図１】本発明の実施の形態１における電磁接触器の回路図
【図２】本発明の実施の形態２における電磁接触器の回路図
【図３】本発明の実施の形態３における電磁接触器の回路図
【図４】本発明の実施の形態４における電磁接触器の回路図
【図５】本発明の実施の形態５における電磁接触器の回路図
【図６】本発明の実施の形態６における電磁接触器の回路図
【図７】本発明の実施の形態７における電磁接触器の回路図
【図８】従来の電磁接触器の正面図
【図９】従来の電磁接触器の回路図
【図１０】従来の電磁接触器の回路図
【符号の説明】
【００４９】
１  電磁接触器
２  電磁開閉器
３  負荷保護ユニット
４  接続導体
５  入力端子
６  ヒューズ
７、７ａ  電流検出手段
８  負荷
９  制御回路
１０  操作コイル
１１  開閉部
１２  逆相検出手段
１３  アース端子
１３−ａ、１３−ｂ  端子
１４  異常電流値設定手段
１５  電流表示手段
１６  電源供給端子
【図１】
2006294540.tif 000003
【図２】
2006294540.tif 000004
【図３】
2006294540.tif 000005
【図４】
2006294540.tif 000006
【図５】
2006294540.tif 000007
【図６】
2006294540.tif 000008
【図７】
2006294540.tif 000009
【図８】
2006294540.tif 000010
【図９】
2006294540.tif 000011
【図１０】
2006294540.tif 000012